(57)【要約】【課題】本発明は、これまでログハウスの屋根部の製作が容易でなかったことに鑑み、屋根部の軽量化を図り、子供たちの手によっても容易に組立・解体ができるとともに、屋根部の機能を有する組立式ログハウスを提供することを目的とする。【解決手段】本発明は、丸太材または角材を用いて構築されたログハウスにおいて、ログハウスの屋根はテント材で構成することを特徴とする。また本発明によれば、ログハウスの屋根材としてのテント材はフレキシブルであることが好適で、折り畳みまたは巻き込み可能で、ログハウスの屋内部分にかかる屋根としての機能のほか、テント材を伸展させることにより、ログハウスの庇とすることもできる。【選択図】図１
2004211417.tif 000002
【特許請求の範囲】
【請求項１】
丸太材または角材を用いて構築されたログハウスにおいて、該ログハウスの屋根はテント材で構成されていることを特徴とするログハウス。
【請求項２】
前記テント材は折り畳みまたは巻き込み可能で、屋内部分にかかる屋根としての機能のほか、伸展させることにより庇となることを特徴とする請求項１記載のログハウス。
【発明の詳細な説明】
【０００１】
【発明の属する技術分野】
本発明は組立式のログハウスに関し、教育機関の野外活動センターやキャンプ場等で、宿泊施設等を自らの手によって簡便かつ短時間に構築可能で、物造り体験に好適な組立式のログハウスに関する。
【０００２】
【従来の技術】
近年とくに子供たちの遊びは、ＴＶゲーム、パソコン等独り遊びが多く、このことが仲間意識、連帯意識欠如の一因になっているとの見方もある。チームワークの大切さを体験する機会が不足していることが人間形成に好ましい方向でないと、多くの大人が危惧するところである。いろいろな教育的配慮から、教育機関、ボランティア等により子供達を対象とするキャンプ場等の野外での宿泊体験も実施されている。こうした宿泊施設の中で仲間と共に過ごす機会も彼等にとって貴重な体験となるであろう。
【０００３】
本発明は、さらに一歩進め、子供たちに宿泊施設を自らの手で造り上げることを容易に体験させんとの考えのもとになされ、グループで物造りに協力して取り組み、その体験をとおして物造りの崇高さに接して自信をもち、互いに理解を深めることを期待してなたれた。初体験での物造りにチームワークで挑戦し、自ら計画し行動する自主的活動をとおして、子供たちの健全育成を促し不良化防止が図れると期待される。
【０００４】
本発明の対象はログハウスである。ログハウスには、キャンプ場などの短期利用施設、倉庫など日常生活における補助的施設、さらには住居そのものなど種々の用途がある。ログハウスは、基本的には、基礎、床用パネルを主とする床板部、出入口や窓を含む壁面部、および屋根部から構成される。壁面は文字どおり丸太や角木材で作られる。屋根部は、金属板葺きやこけら板葺きが一般的である。
【０００５】
とくに従来のログハウスの屋根部の組み上げは、いわゆる力仕事であり、また高い技術が求められ、大人でも手軽に組み立てることができるような構造ではなく、ましてや身体的に未熟な子供たちの手によって負える代物ではなかった。
【０００６】
ここでログハウス、とくに屋根部に関する従来技術についてサーベイした結果を述べる。
【特許文献１】特開平９−１１２０７７号公報
【特許文献２】特開平１１−２１０１１４号公報
【特許文献３】特開２００１−３４８９５１号公報
【０００７】
特許文献１は、ログハウスの外壁のわきに折畳移動可能なテントユニットを示している。外壁と相まって折り畳み移動可能装置にテントを取り付けることによって収納用途のスペースとするものである。特許文献２は、側壁上縁近傍に透明なプラスチック等による屋根をつけたログハウスを提案している。夜空の全体的な観察に適しているログハウスと、発明者は述べている。特許文献３は、基礎の上にまず屋根を作り、その屋根をジャッキアップしつつ間隙に木材を挿入し、下から順次木材を積み上げてログハウスを建築する技術である。この技術は、高所作業をほとんど必要とせず足場組み等の作業の省略を可能にする。一方において、ログハウスの屋根の施工が容易ではないことを示しているにほかならない。
【０００８】
【発明が解決しようとする課題】
本発明は、これまでログハウスの屋根部の製作が容易でなかったことに鑑み、屋根部の軽量化を図り、子供たちの手によっても容易に組立・解体ができるとともに、屋根部の機能を有する組立式ログハウスを提供することを目的とする。
【０００９】
【課題を解決するための手段】
上述した課題を解決するために、本発明は、丸太材または角材を用いて構築されたログハウスにおいて、ログハウスの屋根はテント材で構成することを特徴とする。
【００１０】
また本発明によれば、ログハウスの屋根材としてのテント材はフレキシブルであることが好適で、折り畳みまたは巻き込み可能で、ログハウスの屋内部分にかかる屋根としての機能のほか、テント材を伸展させることにより、ログハウスの庇とすることもできる。
【００１１】
【実施の形態】
本発明は、子供たちの手によっても容易に組立・解体できるログハウスであり、そのために屋根部をテント材で構成することにより軽量化を図るものである。さらにはテント材が持つ特性を十分に引き出すことにより、より居住性のすぐれたログハウスを実現することができる。以下に本発明の内容を実施例をもって詳しく説明する。
【００１２】
【実施例１】
図１は、本発明によるログハウスの第１の実施例を示す斜視図である。図１（ｂ）によれば、テント材（屋根部）１を用いて屋根を構成している。図１（ａ）は、本ログハウスにテント材を敷設する前の状態を示している。すなわち、地面に配置した独立基礎である複数の束石４の上に設けた床パネル、および角材を重ねて固定し、四面の壁面５が築かれている。相対する二つの壁面５の上の小屋束７の上端に棟木８を渡し、その棟木８に平行な他の二面の壁面５上部と棟木８の間に複数の垂木６が固定されている。組立、解体が容易なログハウスのためには垂木６は金属製が好適である。テント材（屋根部）１は垂木６の上に設置・固定される。テント材（屋根部）１は軽量なため設置・固定は容易で、短時間に行うことができる。妻にもテント材（妻）３を使うことができる。
【００１３】
図２は、本発明によるログハウスの第２の実施例を示す斜視図である。図２（ａ）は、テント材（屋根部）１が屋根部のみならず、テント材（庇）２を伸展させ、その先端部を支持材９によって支持することによって、庇（ひさし）を形成することを示す。テント材（屋根部）１とテント材（庇）２は一体のものでもよく、または分離されたものを必要に応じて一体に結合してもよい。またテント材（屋根部）１とテント材（庇）２が一体の場合には、図２（ｂ）に示すように、庇を必要としないときには、テント材に相当する部分を巻き込んでおくこともできる。
【００１４】
庇は必要としないときにはテント材（庇）２を折り畳む構造としてもよい。さらに寄せ棟タイプの場合にも、同様にテント材を用いて屋根部材とすることができる。ログハウスの屋根部にテント材を用いることにより、ログハウス自体の組立・解体が一層容易となり、子供たちの役割が一層大きくなることが期待される。
【００１５】
【発明の効果】
以上説明したように、本発明によれば、ログハウスの屋根部の軽量化を図り、子供たちの手によっても容易に組立・解体が可能な組立式のログハウスが実現した。また、屋根材を折り畳みあるいは巻き込みができるため、必要に応じて庇として使うことができるなど、あらたな機能を有する組立式ログハウスができる。
【図面の簡単な説明】
【図１】本発明によるログハウスの第１の実施例を示す斜視図。
【図２】テント材を屋根部以外にも利用できるログハウスの例を示す図
【符号の説明】
１  テント材（屋根部）
２  テント材（庇）
３  テント材（妻）
４  束石
５  壁面
６  垂木
７  小屋束
８  棟木
９  支持材
【図１】
2004211417.tif 000003
【図２】
2004211417.tif 000004